【手続補正書】
【提出日】令和3年9月27日(2021.9.27)
【手続補正１】
【補正対象書類名】特許請求の範囲
【補正対象項目名】全文
【補正方法】変更
【補正の内容】
【特許請求の範囲】
【請求項１】
交互配置された複数のポリマー干渉層を備える湾曲した反射型偏光子であって、各ポリマー干渉層は、主に光干渉によって光を反射又は透過し、前記湾曲した反射型偏光子上の少なくとも１つの位置は、約６ｍｍ〜約１０００ｍｍの範囲の曲率半径を有し、所定の波長を有し、中心位置において前記反射型偏光子に垂直な、かつ前記反射型偏光子を通過する軸に平行な方向に沿って前記反射型偏光子に入射する光に関して、前記反射型偏光子上の各位置は、ブロック偏光状態について約７０％より大きい最大反射率、直交する通過偏光状態について約７０％より大きい最大透過率、及び前記ブロック偏光状態について最小透過率を有し、前記反射型偏光子の中心位置で互いに交差する直交する第１の軸及び第２の軸、並びに前記反射型偏光子の前記中心位置で互いに交差する直交する第３の軸及び第４の軸に関して、前記第１の軸と前記第３の軸との間の角度は、約４５度であり、前記ブロック偏光状態について前記反射型偏光子の前記最小透過率は、
前記反射型偏光子の前記中心位置と第１の縁部との間の前記第１の軸に沿った第１の位置では、Ｔ１であり、
前記反射型偏光子の前記中心位置と第２の縁部との間の前記第２の軸に沿った第２の位置では、Ｔ２であり、
前記反射型偏光子の前記中心位置と第３の縁部との間の前記第３の軸に沿った第３の位置では、Ｔ３であり、
前記反射型偏光子の前記中心位置と第４の縁部との間の前記第４の軸に沿った第４の位置では、Ｔ４であるようになっており、
Ｔ１及びＴ２の最大値は、Ｔ３及びＴ４の最小値未満である、
湾曲した反射型偏光子。
【請求項２】
交互配置された複数のポリマー干渉層を備える湾曲した反射型偏光子であって、各ポリマー干渉層は、主に光干渉によって光を反射又は透過し、前記湾曲した反射型偏光子上の少なくとも１つの位置は、約６ｍｍ〜約１０００ｍｍの範囲の曲率半径を有し、所定の波長を有し、中心位置において前記反射型偏光子に垂直な、かつ前記反射型偏光子を通過する軸に平行な方向に沿って前記反射型偏光子に入射する光に関して、前記反射型偏光子上の各位置は、ブロック偏光状態について約７０％より大きい最大反射率、直交する通過偏光状態について約７０％より大きい最大透過率、及び前記ブロック偏光状態について最小透過率を有し、前記反射型偏光子の異なる第１の縁部と第２の縁部との間に延び、前記反射型偏光子の最大横寸法の少なくとも３％の最小幅を有し、かつ前記反射型偏光子の分離した第２及び第３の部分を画定する前記反射型偏光子の連続する第１の部分に関して、前記ブロック偏光状態について前記反射型偏光子の前記最小透過率は、前記第２の部分の少なくとも７０％内の各位置及び前記第３の部分の少なくとも７０％内の各位置よりも前記第１の部分の少なくとも７０％内の各位置において高い、湾曲した反射型偏光子。
【請求項３】
複数のポリマー層を備える湾曲した反射型偏光子であって、前記湾曲した反射型偏光子上の少なくとも１つの位置は、約６ｍｍ〜約１０００ｍｍの範囲の曲率半径を有し、所定の波長を有し、中心位置において前記反射型偏光子に垂直な、かつ前記反射型偏光子を通過する光軸に平行な方向に沿って前記反射型偏光子に入射する光に関して、前記反射型偏光子上の各位置は、ブロック偏光状態について約０．７より大きい最大反射率、直交する通過偏光状態について約０．７より大きい最大透過率、及び前記ブロック偏光状態について最小透過率を有し、前記光軸から半径Ｒ内の前記反射型偏光子の領域の有する、前記ブロック偏光状態の前記最小透過率の最大変動が、約０．００１〜約０．００５の範囲にあり、
前記反射型偏光子は、前記光軸からの最大半径Ｒｍを有し、Ｒは、Ｒｍの０．４〜０．７倍の範囲である、湾曲した反射型偏光子。
【請求項４】
複数のポリマー層を備える湾曲した反射型偏光子であって、前記湾曲した反射型偏光子上の少なくとも１つの位置は、約６ｍｍ〜約１０００ｍｍの範囲の曲率半径を有し、所定の波長を有し、中心位置において前記反射型偏光子に垂直な、かつ前記反射型偏光子を通過する軸に平行な方向に沿って前記反射型偏光子に入射する光に関して、前記反射型偏光子上の各位置は、ブロック偏光状態について約０．７より大きい最大反射率、及び直交する通過偏光状態について約０．７より大きい最大透過率を有し、前記反射型偏光子の縁部付近にある少なくとも１つの第１及び第２の位置における前記通過偏光状態についての最大透過率は、少なくとも３．８％だけ互いに異なり、前記少なくとも１つの第１の位置及び前記少なくとも１つの第２の位置は、前記中心位置において約７０度〜約１１０度の範囲の角度を画定するようになっている、湾曲した反射型偏光子。
【請求項５】
複数のポリマー層を備える湾曲した反射型偏光子であって、前記湾曲した反射型偏光子上の少なくとも１つの位置は、約６ｍｍ〜約１０００ｍｍの範囲の曲率半径を有し、所定の波長を有し、中心位置において前記反射型偏光子に垂直な、かつ前記反射型偏光子を通過する軸に平行な方向に沿って前記反射型偏光子に入射する光に関して、前記反射型偏光子上の各位置は、ブロック偏光状態について約０．７より大きい最大反射率、及び直交する通過偏光状態について約０．７より大きい最大透過率を有し、前記反射型偏光子の前記中心位置付近にある少なくとも１つの第１の位置、及び前記反射型偏光子の縁部付近にある少なくとも１つの第２の位置における、前記通過偏光状態についての最大透過率は、少なくとも３．８％だけ互いに異なるようになっている、湾曲した反射型偏光子。
【請求項６】
複数のポリマー層を備える湾曲した反射型偏光子であって、前記湾曲した反射型偏光子上の少なくとも１つの位置は、約６ｍｍ〜約１０００ｍｍの範囲の曲率半径を有し、所定の波長を有し、中心位置において前記反射型偏光子に垂直な、かつ前記反射型偏光子を通過する軸に平行な方向に沿って前記反射型偏光子に入射する光に関して、前記反射型偏光子上の各位置は、ブロック偏光状態について約７０％より大きい最大反射率、及び直交する通過偏光状態について約７０％より大きい最大透過率を有し、平面視で、前記中心を実質的に中心にした実質的に矩形の領域内の位置の少なくとも７０％のそれぞれにおける前記通過偏光状態についての最大透過率は、前記反射型偏光子の前記中心における前記通過偏光状態についての最大透過率の１．５％以内であり、前記実質的に矩形の領域の外側にある、前記反射型偏光子の位置の少なくとも大部分における前記通過偏光状態についての最大透過率は、前記反射型偏光子の前記中心における前記通過偏光状態についての最大透過率よりも少なくとも１．５％低いようになっている、湾曲した反射型偏光子。
【請求項７】
交互配置された複数のポリマー干渉層を備える湾曲した反射型偏光子であって、各ポリマー干渉層は、主に光干渉によって光を反射又は透過し、前記湾曲した反射型偏光子上の少なくとも１つの位置は、約６ｍｍ〜約１０００ｍｍの範囲の曲率半径を有し、所定の波長を有する光に関して、前記反射型偏光子上の各位置は、ブロック偏光状態について約７０％より大きい最大反射率、直交する通過偏光状態について約７０％より大きい最大透過率、及び前記ブロック偏光状態について最小透過率を有し、前記反射型偏光子の中心位置で互いに交差する直交する第１の軸及び第２の軸に関して、前記通過偏光状態についての前記反射型偏光子の前記最大透過率は、
前記中心位置では、Ｔｃであり、
前記反射型偏光子の第１の縁部付近の前記第１の軸に沿った第１の縁部位置では、Ｔ１であり、
前記反射型偏光子の前記第１の縁部の反対側にある、第２の縁部付近の前記第１の軸に沿った第２の縁部位置では、Ｔ２であり、
前記反射型偏光子の第３の縁部付近の前記第２の軸に沿った第３の縁部位置では、Ｔ３であり、
前記反射型偏光子の前記第３の縁部の反対側にある、第４の縁部付近の前記第２の軸に沿った第４の縁部位置では、Ｔ４であるようになっており、
Ｔｃは、Ｔ１及びＴ２の最大値より大きく、Ｔ３及びＴ４の最小値未満である、
湾曲した反射型偏光子。
【請求項８】
湾曲した反射型偏光子であって、少なくとも直交する第１及び第２の方向に沿って延伸され成形されて、前記湾曲した反射型偏光子上の少なくとも１つの位置が、前記第１及び第２の方向のそれぞれに沿って約６ｍｍ〜約１０００ｍｍの範囲の曲率半径を有する、複数のポリマー層を備え、所定の波長を有し、中心位置において前記反射型偏光子に垂直な、かつ前記反射型偏光子を通過する軸に平行な方向に沿って前記反射型偏光子に入射する光に関して、前記反射型偏光子上の各位置は、ブロック偏光状態について約７０％より大きい最大反射率、及び約５％未満の対応する最小透過率を有し、前記反射型偏光子の中心において前記反射型偏光子に接する平面上への投影で、少なくとも１つの第１の縁部位置のブロック偏光状態は、前記反射型偏光子の前記中心におけるブロック偏光状態から時計回りに回転されており、少なくとも１つの第２の縁部位置のブロック偏光状態は、前記反射型偏光子の前記中心における前記ブロック偏光状態から反時計回りに回転されており、前記少なくとも１つの第１及び第２の縁部位置は、前記反射型偏光子の前記中心において約７０度〜約１１０度の範囲の角度を画定する、湾曲した反射型偏光子。
【請求項９】
湾曲した反射型偏光子であって、少なくとも直交する第１及び第２の方向に沿って延伸され成形されて、前記湾曲した反射型偏光子上の少なくとも１つの位置が前記第１及び第２の方向のそれぞれに沿って約６ｍｍ〜約１０００ｍｍの範囲の曲率半径を有する、複数のポリマー層を備え、所定の波長を有し、前記反射型偏光子の中心において前記反射型偏光子に垂直な、かつ前記反射型偏光子を通過する軸に平行な方向に沿って前記反射型偏光子に入射する光に関して、前記反射型偏光子上の各位置は、ブロック偏光状態について約７０％より大きい最大反射率、及び約５％未満の対応する最小透過率を有し、前記反射型偏光子の前記中心において前記反射型偏光子に接する平面上への投影で、少なくとも１つの第１及び第２の縁部位置におけるブロック偏光状態は、互いに対して２度より大きく回転されており、前記少なくとも１つの第１及び第２の縁部位置は、前記反射型偏光子の前記中心において約７０度〜約１１０度の範囲の角度を画定する、
湾曲した反射型偏光子。
【請求項１０】
湾曲した反射型偏光子であって、少なくとも直交する第１及び第２の方向に沿って延伸され成形されて、前記湾曲した反射型偏光子上の少なくとも１つの位置が前記第１及び第２の方向のそれぞれに沿って約６ｍｍ〜約１０００ｍｍの範囲の曲率半径を有する、複数のポリマー層を備え、所定の波長を有し、前記反射型偏光子の中心において前記反射型偏光子に垂直な、かつ前記反射型偏光子を通過する光軸に平行な方向に沿って前記反射型偏光子に入射する光に関して、前記反射型偏光子上の各位置は、ブロック偏光状態について約７０％より大きい最大反射率、及び約５％未満の対応する最小透過率を有し、前記光軸から半径Ｒ内の前記反射型偏光子の領域が有する、前記反射型偏光子の前記中心において前記反射型偏光子に接する平面上への投影における前記ブロック偏光状態の最大変動が、
Ｒ１未満のＲについて約１度未満であり、
Ｒ２より大きいＲについて約２度より大きい最大変動を有するようになっており、
前記反射型偏光子は、前記光軸からの最大半径Ｒｍを有し、Ｒ１は、少なくとも０．４Ｒｍであり、Ｒ２は、Ｒ１より大きく、かつ０．９５Ｒｍ以下である、
湾曲した反射型偏光子。
【請求項１１】
交互配置された複数のポリマー干渉層を備える湾曲した反射型偏光子であって、各ポリマー干渉層は、主に光干渉によって光を反射又は透過し、前記湾曲した反射型偏光子上の少なくとも１つの位置は、約６ｍｍ〜約１０００ｍｍの範囲の曲率半径を有し、所定の波長を有し、前記反射型偏光子の中心において前記反射型偏光子に垂直な、かつ前記反射型偏光子を通過する光軸に平行な方向に沿って前記反射型偏光子に入射する光に関して、前記反射型偏光子上の各位置は、ブロック偏光状態について約７０％より大きい最大反射率、直交する通過偏光状態について約７０％より大きい最大透過率、及び円形減衰を有し、前記反射型偏光子の中心位置で互いに交差する直交する第１の軸及び第２の軸に関して、前記反射型偏光子の前記円形減衰は、
前記中心位置では、ＣＤｃであり、
前記反射型偏光子の第１の縁部付近の前記第１の軸に沿った第１の縁部位置では、ＣＤ１であり、
前記反射型偏光子の前記第１の縁部の反対側にある、第２の縁部付近の前記第１の軸に沿った第２の縁部位置では、ＣＤ２であり、
前記反射型偏光子の第３の縁部付近の前記第２の軸に沿った第３の縁部位置では、ＣＤ３であり、
前記反射型偏光子の前記第３の縁部の反対側にある、第４の縁部付近の前記第２の軸に沿った第４の縁部位置では、ＣＤ４であり、
ＣＤｃは、ＣＤ３及びＣＤ４の最小値未満であり、ＣＤ１及びＣＤ１の最大値よりも大きい、
湾曲した反射型偏光子。
【請求項１２】
湾曲した反射型偏光子であって、少なくとも直交する第１及び第２の方向に沿って延伸され成形されて、前記湾曲した反射型偏光子上の少なくとも１つの位置が前記第１及び第２の方向のそれぞれに沿って約６ｍｍ〜約１０００ｍｍの範囲の曲率半径を有する、複数のポリマー層を備え、所定の波長を有し、前記反射型偏光子の中心において前記反射型偏光子に垂直な、かつ前記反射型偏光子を通過する光軸に平行な方向に沿って前記反射型偏光子に入射する光に関して、前記反射型偏光子上の各位置は、ブロック偏光状態について約７０％より大きい最大反射率、及び約５％未満の対応する最小透過率を有し、前記反射型偏光子の総面積以下の面積を有する前記反射型偏光子の領域が有する円形減衰の最大変動が、少なくとも０．０４である、湾曲した反射型偏光子。
【請求項１３】
湾曲した反射型偏光子であって、少なくとも直交する前記第１及び第２の方向に沿って延伸され成形されて、前記湾曲した反射型偏光子上の少なくとも１つの位置が第１及び第２の方向のそれぞれに沿って約６ｍｍ〜約１０００ｍｍの範囲の曲率半径を有する、複数のポリマー層を備え、所定の波長を有し、前記反射型偏光子の中心において前記反射型偏光子に垂直な、かつ前記反射型偏光子を通過する光軸に平行な方向に沿って前記反射型偏光子に入射する光に関して、前記反射型偏光子上の各位置は、ブロック偏光状態について約７０％より大きい最大反射率、及び約５％未満の対応する最小透過率を有し、前記反射型偏光子の総面積の半分より大きい面積を有する前記反射型偏光子の領域が有する円形減衰の最大変動が、０．０１５以下である、湾曲した反射型偏光子。
【請求項１４】
湾曲した反射型偏光子であって、少なくとも直交する第１及び第２の方向に沿って延伸され成形されて、前記湾曲した反射型偏光子上の少なくとも１つの位置が前記第１及び第２の方向のそれぞれに沿って約６ｍｍ〜約１０００ｍｍの範囲の曲率半径を有する、複数のポリマー層を備え、所定の波長を有し、前記反射型偏光子の中心において前記反射型偏光子に垂直な、かつ前記反射型偏光子を通過する光軸に平行な方向に沿って前記反射型偏光子に入射する光に関して、前記反射型偏光子上の各位置は、ブロック偏光状態について約７０％より大きい最大反射率、及び約５％未満の対応する最小透過率を有し、前記反射型偏光子の総面積の半分より大きい面積を有する前記反射型偏光子の領域が有する円形減衰の最大絶対値が、０．００７以下である、湾曲した反射型偏光子。
【請求項１５】
湾曲した反射型偏光子であって、少なくとも直交する第１及び第２の方向に沿って延伸され成形されて、前記湾曲した反射型偏光子上の少なくとも１つの位置が前記第１及び第２の方向のそれぞれに沿って約６ｍｍ〜約１０００ｍｍの範囲の曲率半径を有する、複数のポリマー層を備え、所定の波長を有し、前記反射型偏光子の中心において前記反射型偏光子に垂直な、かつ前記反射型偏光子を通過する光軸に平行な方向に沿って前記反射型偏光子に入射する光に関して、前記反射型偏光子上の各位置は、ブロック偏光状態について約７０％より大きい最大反射率、及び約５％未満の対応する最小透過率を有し、前記光軸から半径Ｒ内の前記反射型偏光子の領域が有する、前記反射型偏光子の前記中心において前記反射型偏光子に接する平面上への投影における前記ブロック偏光状態の最大変動が、０．８Ｒｍ未満のＲに対して約１度未満である、湾曲した反射型偏光子。